(57)【特許請求の範囲】
【請求項１】
前端レンズが収納位置、ワイド端位置、テレ端位置の順に光軸に沿って前方へ徐々に移動する撮影光学系と、
上記前端レンズを支持するレンズ支持枠と、
上記前端レンズの直前に位置しながら該前端レンズの位置に応じて上記光軸方向の位置を変え、かつ該光軸上に位置するバリア開口を有するバリア支持部材と、
上記撮影光学系が上記収納位置に位置するときは上記バリア開口を閉じ、上記撮影光学系が上記ワイド端位置とテレ端位置の間に位置するときは上記バリア開口を開放する、該バリア支持部材に支持したバリア羽根と、
上記レンズ支持枠と一緒に移動するレンズ側カムフォロアが係合するレンズ用カム溝、及び、上記バリア支持部材と一緒に移動するバリア側カムフォロアが係合するバリア用カム溝を有し、上記光軸回りに回転することにより上記レンズ支持枠及び上記バリア支持部材を上記光軸方向に進退させるカム環と、
を備え、
上記撮影光学系が上記収納位置に位置するときの上記バリア支持部材の前面と上記前端レンズの上記光軸方向距離をＬＡ、
上記撮影光学系が上記ワイド端位置に位置するときの上記バリア支持部材の前面と上記前端レンズの上記光軸方向距離をＬＢ、
上記撮影光学系が上記テレ端位置に位置するときの上記バリア支持部材の前面と上記前端レンズの上記光軸方向距離をＬＣ、
としたときに、
ＬＡ＝ＬＣ＞ＬＢ
の関係が成立することを特徴とする沈胴式レンズ鏡筒。
【請求項２】
請求項１記載の沈胴式レンズ鏡筒において、
上記前端レンズが上記収納位置に位置するときに、上記レンズ側カムフォロアが係合する上記レンズ用カム溝の部位をＰａ１、上記バリア側カムフォロアが係合する上記バリア用カム溝の部位をＰａ２、
上記前端レンズが上記テレ端位置に位置するときに、上記レンズ側カムフォロアが係合する上記レンズ用カム溝の部位をＰｃ１、上記バリア側カムフォロアが係合する上記バリア用カム溝の部位をＰｃ２、
としたときに、
Ｐａ１から見たＰａ２の上記光軸に沿った一方向への離間距離、及び、Ｐｃ１から見たＰｃ２の上記一方向への離間距離が同一である沈胴式レンズ鏡筒。
【請求項３】
請求項２記載の沈胴式レンズ鏡筒において、
上記カム環が上記光軸を中心とする環状部材であり、
上記Ｐａ１の一部と上記Ｐａ２の一部が上記カム環の周方向に並び、かつ、上記Ｐｃ１の一部と上記Ｐｃ２の一部が上記周方向に並ぶ沈胴式レンズ鏡筒。
【発明の詳細な説明】
【技術分野】
【０００１】
本発明は沈胴式レンズ鏡筒に関する。
【背景技術】
【０００２】
特許文献１に開示された沈胴式レンズ鏡筒は、１群移動筒と、１群移動筒に支持された前端レンズ（第１レンズ群）と、１群移動筒の前方に位置し、かつ光軸上に位置するバリア開口を有するバリア支持部材と、該バリア支持部材に支持した、バリア開口を開閉するバリア羽根と、レンズ支持枠に固定したレンズ側カムフォロアが係合するレンズ用カム溝、及び、バリア支持部材と一緒に移動するバリア側カムフォロアが係合するバリア用カム溝を有し、光軸回りに回転することによりレンズ支持枠及びバリア支持部材を光軸方向に進退させるカム環と、を備えている。前端レンズは、他のレンズ群とともに撮影光学系を構成するものであり、撮影光学系を構成する各レンズ群はカム環の回転力によって収納位置、ワイド端位置、テレ端位置の順に光軸に沿って前方へ徐々に移動する。バリア支持部材も、カム環の回転力によって収納位置、ワイド端位置、テレ端位置の順に光軸に沿って前方へ徐々に移動する。バリア羽根は、撮影光学系が収納位置に位置するときはバリア開口を閉じ、撮影光学系が撮影領域（ワイド端位置とテレ端位置の間）に位置するときはバリア開口を開放する。
一般的にレンズ用カム溝とバリア用カム溝の形状を異ならせると（前端レンズとバリア支持部材の移動軌跡を異ならせると）カム環の製造が難しくなる。そのため特許文献１では、沈胴式レンズ鏡筒の製造を容易にすべく、レンズ用カム溝とバリア用カム溝の形状を同一にしている（前端レンズとバリア支持部材の移動軌跡を一致させている）。
【０００３】
しかし特許文献２に開示された沈胴式レンズ鏡筒のように、ワイド端位置におけるバリア支持部材と前端レンズの前後間隔がテレ端位置におけるバリア支持部材と前端レンズの前後間隔より短くなるように、レンズ用カム溝とバリア用カム溝の形状を変えると、以下の利点が得られる。
即ち、撮影光学系がワイド端位置に位置するときは、バリア支持部材に対して前端レンズが接近するので、前端レンズの画角が大きくなっているにも拘わらず、前端レンズに入射する有効光束がバリア支持部材（バリア開口）によってケラれることがなくなる。一方、撮影光学系がテレ端位置に位置するときは、バリア支持部材に対して前端レンズが後方に大きく離間するのでバリア支持部材による大きなフード効果を得ることができ（有害光線の前端レンズへの侵入を防止でき）、しかも前端レンズの画角が小さくなっているので、前端レンズに入射する有効光束がバリア支持部材（バリア開口）によってケラれることもない。
【先行技術文献】
【特許文献】
【０００４】
【特許文献１】特開２００４−２５８６４６号公報
【特許文献２】特開平８−１４６２９６号公報
【発明の概要】
【発明が解決しようとする課題】
【０００５】
撮影光学系がテレ端位置に位置するときに大きなフード効果を得るためには、レンズ用カム溝の光軸方向長とバリア用カム溝の光軸方向長の間に大きな差を設けて、テレ端位置におけるバリア支持部材と前端レンズの前後間隔をできるだけ大きくすればよい。
しかし、レンズ用カム溝の光軸方向長とバリア用カム溝の光軸方向長の間に大きな差を設けると、カム環上にカム溝が形成されない無駄なスペースが大きく形成されてしまう（カム環を有効に使えなくなる。図７のＳ部を参照）。
そのため、テレ端位置におけるバリア支持部材と前端レンズの前後間隔を大きくすると、バリア用カム溝の前端位置がレンズ用カム溝の前端位置より前方に大きくずれることになるので（図７参照）、カム環が不必要に長くなり、ひいては収納状態における沈胴式レンズ鏡筒（及びカメラ全体）の光軸方向の厚みが不必要に大きくなってしまう。
【０００６】
本発明は、カム環に形成したカム溝と前端レンズ及びバリア支持部材と一緒に移動するカムフォロアを利用して、撮影光学系がワイド端位置に位置するときはバリア支持部材に対して前端レンズを接近させ、かつ、撮影光学系がテレ端位置に位置するときはバリア支持部材に対して前端レンズを後方に大きく離間させる構造でありながら、カム環の光軸方向寸法を極力小さくすることが可能な沈胴式レンズ鏡筒を提供することを目的とする。
【課題を解決するための手段】
【０００７】
本発明の沈胴式レンズ鏡筒は、前端レンズが収納位置、ワイド端位置、テレ端位置の順に光軸に沿って前方へ徐々に移動する撮影光学系と、上記前端レンズを支持するレンズ支持枠と、上記前端レンズの直前に位置しながら該前端レンズの位置に応じて上記光軸方向の位置を変え、かつ該光軸上に位置するバリア開口を有するバリア支持部材と、上記撮影光学系が上記収納位置に位置するときは上記バリア開口を閉じ、上記撮影光学系が上記ワイド端位置とテレ端位置の間に位置するときは上記バリア開口を開放する、該バリア支持部材に支持したバリア羽根と、上記レンズ支持枠と一緒に移動するレンズ側カムフォロアが係合するレンズ用カム溝、及び、上記バリア支持部材と一緒に移動するバリア側カムフォロアが係合するバリア用カム溝を有し、上記光軸回りに回転することにより上記レンズ支持枠及び上記バリア支持部材を上記光軸方向に進退させるカム環と、を備え、上記撮影光学系が上記収納位置に位置するときの上記バリア支持部材の前面と上記前端レンズの上記光軸方向距離をＬＡ、上記撮影光学系が上記ワイド端位置に位置するときの上記バリア支持部材の前面と上記前端レンズの上記光軸方向距離をＬＢ、上記撮影光学系が上記テレ端位置に位置するときの上記バリア支持部材の前面と上記前端レンズの上記光軸方向距離をＬＣ、としたときに、ＬＡ＝ＬＣ＞ＬＢの関係が成立することを特徴としている。
【０００８】
上記前端レンズが上記収納位置に位置するときに、上記レンズ側カムフォロアが係合する上記レンズ用カム溝の部位をＰａ１、上記バリア側カムフォロアが係合する上記バリア用カム溝の部位をＰａ２、上記前端レンズが上記テレ端位置に位置するときに、上記レンズ側カムフォロアが係合する上記レンズ用カム溝の部位をＰｃ１、上記バリア側カムフォロアが係合する上記バリア用カム溝の部位をＰｃ２、としたときに、Ｐａ１から見たＰａ２の上記光軸に沿った一方向への離間距離、及び、Ｐｃ１から見たＰｃ２の上記一方向への離間距離が同一であってもよい。
【０００９】
上記カム環が上記光軸を中心とする環状部材であり、上記Ｐａ１の一部と上記Ｐａ２の一部が上記カム環の周方向に並び、かつ、上記Ｐｃ１の一部と上記Ｐｃ２の一部が上記周方向に並んでもよい。
【発明の効果】
【００１０】
本発明の沈胴式レンズ鏡筒は、撮影光学系がワイド端位置に位置するときのバリア支持部材の前面と前端レンズの光軸方向距離をＬＢ、撮影光学系がテレ端位置に位置するときのバリア支持部材の前面と前端レンズの光軸方向距離をＬＣとしたときに、
ＬＣ＞ＬＢ
の関係が成立する。
即ち、撮影光学系がワイド端位置に位置するときは、バリア支持部材に対して前端レンズが接近するので、前端レンズの画角が大きくなっているにも拘わらず、前端レンズに入射する有効光束がバリア支持部材（バリア開口）によってケラれることがない。その一方で、撮影光学系がテレ端位置に位置するときは、バリア支持部材に対して前端レンズが後方に大きく離間するのでバリア支持部材による大きなフード効果を得ることができ（有害光線の前端レンズへの侵入を防止でき）、しかも前端レンズの画角が小さくなっているので、前端レンズに入射する有効光束がバリア支持部材（バリア開口）によってケラれることがない。
【００１１】
さらに撮影光学系が収納位置に位置するときのバリア支持部材の前面と前端レンズの光軸方向距離をＬＡとしたときに、
ＬＡ＝ＬＣ
の関係が成立する。
即ち、テレ端位置におけるバリア支持部材と前端レンズの前後間隔を、収納位置におけるバリア支持部材と前端レンズの前後間隔と同一にしているので、テレ端位置におけるバリア支持部材と前端レンズの前後間隔が極度に大きくなることがない。そのためレンズ用カム溝の光軸方向長とバリア用カム溝の光軸方向長の差が小さくなるので、カム環上にカム溝が形成されない無駄なスペースが形成され難い（カム環を有効に使うことができる）。
さらに、バリア用カム溝の前端位置がレンズ用カム溝の前端位置より前方に大きく位置することがないので、カム環、及び、収納状態における沈胴式レンズ鏡筒（及びカメラ全体）の光軸方向寸法を極力小さくすることが可能である。
【図面の簡単な説明】
【００１２】
【図１】本発明を適用した一実施形態のズームレンズ鏡筒の収納（沈胴）状態の縦断面図である。
【図２】同ズームレンズ鏡筒のワイド端撮影状態の上半縦断面図である。
【図３】同ズームレンズ鏡筒のテレ端撮影状態の上半縦断面図である。
【図４】同ズームレンズ鏡筒の分解斜視図である。
【図５】カム環の外周面を表した展開図である。
【図６】撮影光学系が収納位置、ワイド端位置、テレ端位置のそれぞれの位置に位置するときの飾り環（レンズバリア機構）の前面と第１レンズ群の前面との前後間隔を表した図である。
【図７】従来例のカム環の展開図である。
【発明を実施するための形態】
【００１３】
最初に図１ないし図４により、本発明を適用したズームレンズ鏡筒１０の主たる構成要素を説明する。図１は収納状態の縦断面図、図２はワイド端における上半縦断面図、図３はテレ端における上半縦断面図、図４は分解斜視図である。図２、図３に示すように、撮影時におけるズームレンズ鏡筒１０の撮影光学系は、物体側から順に第１レンズ群Ｌ１（前端レンズ）、第２レンズ群Ｌ２、シャッタ３４（絞）、第３レンズ群（退避光学要素）Ｌ３、第４レンズ群Ｌ４、赤外線カットフィルタ１１及びＣＭＯＳセンサ（固体撮像素子）１２からなっている。この撮影光学系の光軸をＺ１で示す。ズーミングは、第１レンズ群Ｌ１、第２レンズ群Ｌ２、第３レンズ群Ｌ３を撮影光軸Ｚ１方向に所定の軌跡で進退させることによって行い、フォーカシングは同方向への第４レンズ群Ｌ４の移動で行う。また「前」、「後」は、被写体側、撮像面側をそれぞれ意味する。
【００１４】
ズームレンズ鏡筒１０は図示しないカメラボディ内に搭載されており、該カメラボディに対して固定される固定環１３と、この固定環１３の後部に固定される撮像素子ホルダ１４を備えている。撮像素子ホルダ１４の中央部にはＣＭＯＳセンサ１２が固定され、ＣＭＯＳセンサ１２の前部に赤外線カットフィルタ１１が保持されている。
【００１５】
固定環１３内には、第４レンズ群Ｌ４を保持するＡＦレンズ枠（４群枠）１７が光軸Ｚ１方向に直進移動可能に支持されている。ＡＦレンズ枠１７は、固定環１３とＣＣＤホルダ１４の間に撮影光軸Ｚ１と平行に固定した一対のＡＦガイド軸１８にガイドされており、このＡＦガイド軸１８に対してそれぞれ、ＡＦレンズ枠１７に形成したガイド孔（ガイド溝）が摺動可能に嵌まっている。
【００１６】
ＡＦレンズ枠１７は、ＡＦモータ１９の駆動力によって光軸Ｚ１方向へ進退される。ＡＦモータ１９のドライブシャフトに形成した送りねじに対し、ＡＦナット２０が螺合している。ＡＦレンズ枠１７は、ＡＦナット２０に対して光軸Ｚ１方向へ摺動可能に係合し、かつＡＦ枠付勢ばね２１によって前方へ付勢されており、この付勢力でＡＦナット２０に当て付くことによってＡＦレンズ枠１７の前方移動端が決定される。そして、ＡＦナット２０が光軸Ｚ１方向後方へ移動したときに、ＡＦレンズ枠１７はＡＦナット２０に押圧されて後方へ移動される。以上の構造により、ＡＦモータ１９のドライブシャフトを正逆に回転させると、ＡＦレンズ枠１７が光軸方向に進退される。
【００１７】
固定環１３には、撮影光軸Ｚ１と軸線を平行にしたズームギヤ（長尺ピニオン）２２が回転可能に支持されている。ズームギヤ２２は、固定環１３の内周面側に露出するように位置されており、ズームモータ２３及びギヤ列２４によって正逆に回転される。
【００１８】
固定環１３の内周面には、雌ヘリコイド１３ａと、光軸と平行な直進案内溝１３ｂが形成されている。この固定環１３の雌ヘリコイド１３ａにはヘリコイド環（第１進退筒）２５の雄ヘリコイド２５ａが螺合されており、直進案内溝１３ｂには、ヘリコイド環２５の内周に位置する直進案内環２６の径方向突起２６ａが係合している。このヘリコイド環２５と直進案内環２６は、相対回転は自在に光軸Ｚ１方向には一緒に移動するように結合されている。すなわち、直進案内環２６の外周面に形成した案内突起２６ｂは、ヘリコイド環２５の内周面に形成した周方向案内溝２５ｂ（図５）に係合している。
【００１９】
ヘリコイド環２５の外周一部には、上述のズームギヤ２２と噛み合うギヤが形成されていて、このヘリコイド環２５の内周面には、光軸Ｚ１と平行な回転伝達溝２５ｃ（図５）が形成されている。直進案内環２６の内周に嵌めた、撮影光軸Ｚ１を中心とする環状部材であるカム環２７には径方向に突出するフォロア２７ａが設けられており、このフォロア２７ａは、直進案内環２６のカム溝２６ｃを貫通した後、ヘリコイド環２５の回転伝達溝２５ｃに嵌まっている。つまり、ズームギヤ２２を介してヘリコイド環２５が回転すると、フォロア２７ａを介してカム環２７に回転が伝達される。カム環２７の光軸Ｚ１方向の位置は、直進案内環２６の光軸Ｚ１方向の位置及びカム溝２６ｃの形状によって定まる。
【００２０】
カム環２７の外周側には、第１レンズ群Ｌ１を支持した１群枠２８（レンズ支持枠）が位置しており、１群枠２８の外周側には前端部にレンズバリア機構２９を支持したバリア支持筒（第３進退筒）３０が位置している。１群枠２８の内周面の後端近傍部には、周方向に等角度間隔で３つのカムフォロア２８ａ（レンズ側カムフォロア）が固定してあり、バリア支持筒３０の内周面の後端近傍部には、周方向に等角度間隔で３つのカムフォロア３０ａ（バリア側カムフォロア）が固定してある。
カム環２７の外周面には、各カムフォロア２８ａがそれぞれ係合する３本のレンズ用カム溝２７ｂ１と、各カムフォロア３０ａがそれぞれ係合する３本のバリア用カム溝２７ｂ２が周方向に等角度間隔で形成され、内周面には、第２レンズ群Ｌ２を支持した２群枠３１のカムフォロアが係合する内面カム溝２７ｃが形成されている。
１群枠２８の前方に位置するレンズバリア機構２９は、バリア支持筒３０の前端に設けられ矩形のバリア開口を有するバリア台枠２９ａ（バリア支持部材）と、該バリア開口を開閉するようにバリア台枠２９ａ上に支持した一対の内側バリア羽根２９ｂおよび一対の外側バリア羽根２９ｃと、これらバリア羽根２９ｂ、２９ｃを上記バリア開口を閉じる方向に付勢する一対のトーションばね２９ｄと、バリア台枠２９ａとの間にこれら要素を保持し、上記バリア開口より大寸であるバリア開口を有する、バリア台枠２９ａに対して相対回転可能なバリア押え板２９ｅ（バリア支持部材）と、バリア台枠２９ａの前面に固定した飾り環２９ｆ（バリア支持部材）と、バリア押え板２９ｅを回転付勢する付勢ばね２９ｇと、を有している。上側の内側バリア羽根２９ｂと外側バリア羽根２９ｃ、及び、下側の内側バリア羽根２９ｂと外側バリア羽根２９ｃは、バリア台枠２９ａに設けた一対の共通軸（図示略）により同軸にそれぞれ回動自在に支持され、上下の内側バリア羽根２９ｂがトーションばね２９ｄにより閉方向（上記バリア開口を閉じる方向）に回動付勢されている。また、上側の内側バリア羽根２９ｂと外側バリア羽根２９ｃ、及び、下側の内側バリア羽根２９ｂと外側バリア羽根２９ｃは、共に開閉両方向に連動するようになっている。バリア押え板２９ｅは上下の内側バリア羽根２９ｂと連係しており、内側バリア羽根２９ｂが全閉位置に位置するのを許容する初期位置と、内側バリア羽根２９ｂをトーションばね２９ｄの付勢力に抗して全開位置に移動させる作動位置との間を回転可能であり、付勢ばね２９ｇによって作動位置側に回転付勢されている。さらに飾り環２９ｆの前面は常に第１レンズ群Ｌ１の前面より前方に位置する。
【００２１】
他方、カム環２７の外周には、直進案内環２６によって直進案内された第２進退筒３２が位置している。この第２進退筒３２とカム環２７は、相対回転は自在で光軸方向には一緒に移動するように結合されている。また、１群枠２８、バリア支持筒３０及び２群枠３１は、直接または間接に第２進退筒３２に直進案内されており、カム環２７の回転によって、１群枠２８、バリア支持筒３０及び２群枠３１が光軸方向に進退する。即ち、カム環２７が正転することにより、１群枠２８、バリア支持筒３０及び２群枠３１は収納位置（図１）、ワイド端位置（図２）、テレ端位置（図３）の順に撮影光軸Ｚ１に沿って前方へ徐々に移動し、カム環２７が逆転することにより、１群枠２８、バリア支持筒３０及び２群枠３１は、テレ端位置、ワイド端位置、収納位置の順に撮影光軸Ｚ１に沿って後方へ徐々に移動する。
ズームレンズ鏡筒１０（１群枠２８、バリア支持筒３０）が収納位置に位置するときは、カム環２７の前端に形成したバリア係合部がバリア押え板２９ｅを付勢ばね２９ｇの回転付勢力に抗して初期位置に移動させるので、上下の内側バリア羽根２９ｂ及び外側バリア羽根２９ｃはトーションばね２９ｄの付勢力によって上記バリア開口を閉じる全閉位置に位置する。ズームレンズ鏡筒１０（１群枠２８、バリア支持筒３０）が収納位置からワイド端位置側へ移動するのに伴ってカム環２７が正転すると、カム環２７の上記バリア係合部がバリア押え板２９ｅから離間するので、バリア押え板２９ｅは付勢ばね２９ｇの回転付勢力によって上記作動位置まで回転する。すると上下の内側バリア羽根２９ｂ及び外側バリア羽根２９ｃがトーションばね２９ｄの付勢力に抗して全開位置に移動するので、ズームレンズ鏡筒１０（１群枠２８、バリア支持筒３０）がワイド端位置とテレ端位置の間（ワイド端位置とテレ端位置を含む）の撮影領域に位置するとき上記バリア開口は開放状態となる。また、ズームレンズ鏡筒１０（１群枠２８、バリア支持筒３０）が撮影領域から収納位置に戻るのに伴ってカム環２７が逆転すると、上記バリア係合部がバリア押え板２９ｅを付勢ばね２９ｇの回転付勢力に抗して初期位置に移動させるので、上下の内側バリア羽根２９ｂ及び外側バリア羽根２９ｃがトーションばね２９ｄの付勢力によって全閉位置に復帰する。
【００２２】
また、カム環２７の内周には、第３レンズ群Ｌ３を支持した３群支持環３３が位置している。この３群支持環３３は、カム環２７に相対回転は自在に光軸方向には一緒に移動するように結合されており、かつ、２群枠３１に直進案内されている。
【００２３】
３群支持環３３の前方には、シャッタ３４とばね受け環状板３５が固定されており、ばね受け環状板３５の前方には、一対の群間ばね（圧縮コイルばね）３６と３７に挟まれた軸方向移動絞りリング３８が位置している。軸方向移動絞りリング３８は、３群環３３に直進案内されており、前方の群間ばね３６の前端部は２群枠３１に支持（当接）している。
【００２４】
３群支持環３３の後方（後面）には、カメラに加わる手ブレを相殺する方向に光軸直交面内で駆動される防振ベース４０が支持されている。第３レンズ群Ｌ３を支持した３群枠４２は、この防振ベース４０上の光軸Ｚ１と平行な光軸外の軸４１を中心に揺動可能に支持されている。４３は３群支持環３３との間に防振ベース４０を支持する防振カバーである。３群枠４２は、図２、図３の撮影状態ではその第３レンズ群Ｌ３を光軸Ｚ１上に保持し、図１の収納状態では光軸Ｚ１から脱した収納位置に移動される。これらの防振機構及びレンズ群挿脱機構の詳細は公知であり、本発明の要旨と関係がないので、具体的な構成の説明を省略する。
【００２５】
続いて本発明の特徴部分（カム環２７、１群枠２８、レンズバリア機構２９、及び、バリア支持筒３０）について詳しく説明する。
カムフォロア２８ａ及びカムフォロア３０ａは先端部（内周側端部）を平面で切断した円錐形状であり、カムフォロア２８ａよりカムフォロア３０ａの方が大径である。
カム環２７のレンズ用カム溝２７ｂ１及びバリア用カム溝２７ｂ２の具体的形状は図５に示す通りである。レンズ用カム溝２７ｂ１とバリア用カム溝２７ｂ２の横断面形状は、カムフォロア２８ａとカムフォロア３０ａの断面形状とそれぞれ略同一であり（図２、図３参照）、バリア用カム溝２７ｂ２はレンズ用カム溝２７ｂ１より広幅である。レンズ用カム溝２７ｂ１及びバリア用カム溝２７ｂ２の全体形状（展開形状）はほぼ同一である。即ち、レンズ用カム溝２７ｂ１及びバリア用カム溝２７ｂ２の後端近傍部には、第１レンズ群Ｌ１、第２レンズ群Ｌ２、第３レンズ群Ｌ３、及び、第４レンズ群Ｌ４からなる撮影光学系が収納位置に位置するときにカムフォロア２８ａとカムフォロア３０ａがそれぞれ係合する収納時係合部Ｐａ１と収納時係合部Ｐａ２が形成してある。レンズ用カム溝２７ｂ１及びバリア用カム溝２７ｂ２は、収納時係合部Ｐａ１、Ｐａ２から（撮影光軸Ｚ１方向に対して）傾斜しながら前方に延びており、当該傾斜部分の前端部よりやや前方には、撮影光学系がワイド端位置に位置するときにカムフォロア２８ａとカムフォロア３０ａがそれぞれ係合するワイド端時係合部Ｐｂ１とワイド端時係合部Ｐｂ２が形成してある。レンズ用カム溝２７ｂ１及びバリア用カム溝２７ｂ２は、ワイド端時係合部Ｐｂ１、Ｐｂ２からカム環２７の周方向と略平行に延びた後に、（撮影光軸Ｚ１方向に対して）傾斜しながら前方に延びており、当該傾斜部分の前端部よりやや前方には、撮影光学系がテレ端位置に位置するときにカムフォロア２８ａとカムフォロア３０ａがそれぞれ係合するテレ端時係合部Ｐｃ１とテレ端時係合部Ｐｃ２が形成してある。
【００２６】
図５に示すように、収納時係合部Ｐａ１（の中心点）は収納時係合部Ｐａ２（の中心点）より前方にＤａだけ離れており、ワイド端時係合部Ｐｂ１（の中心点）はワイド端時係合部Ｐｂ２（の中心点）より前方にＤｂだけ離れており、テレ端時係合部Ｐｃ１（の中心点）はテレ端時係合部Ｐｃ２（の中心点）より前方にＤｃだけ離れている。ここでＤａ、Ｄｂ、Ｄｃは、
Ｄａ＝Ｄｃ＜Ｄｂの関係にある。
そのため、撮影光学系（ズームレンズ鏡筒１０）が収納位置に位置するときの飾り環２９ｆの前面と第１レンズ群Ｌ１（の前面）の撮影光軸Ｚ１方向距離をＬＡ、撮影光学系（ズームレンズ鏡筒１０）がワイド端位置に位置するときの飾り環２９ｆの前面と第１レンズ群Ｌ１（の前面）の撮影光軸Ｚ１方向距離をＬＢ、撮影光学系（ズームレンズ鏡筒１０）がテレ端位置に位置するときの飾り環２９ｆの前面と第１レンズ群Ｌ１（の前面）の撮影光軸Ｚ１方向距離をＬＣ、としたときに、
ＬＡ＝ＬＣ＞ＬＢ
の関係が成立する（図６参照）。
【００２７】
そのため本実施形態のズームレンズ鏡筒１０は以下の作用効果を発揮可能である。
即ち、撮影光学系がワイド端位置に位置するときは、飾り環２９ｆ（レンズバリア機構２９）に対して第１レンズ群Ｌ１が接近するので、第１レンズ群Ｌ１の画角が大きくなっているにも拘わらず、第１レンズ群Ｌ１に入射する有効光束がバリア台枠２９ａ（バリア開口）によってケラれることがない。その一方で、撮影光学系がテレ端位置に位置するときは、飾り環２９ｆ（レンズバリア機構２９）に対して第１レンズ群Ｌ１が後方に大きく離間するのでバリア台枠２９ａによる大きなフード効果を得ることができ（有害光線の第１レンズ群Ｌ１への侵入を防止でき）、しかも第１レンズ群Ｌ１の画角が小さくなっているので、第１レンズ群Ｌ１に入射する有効光束がバリア台枠２９ａ（バリア開口）によってケラれることがない。
【００２８】
また、撮影光学系がテレ端位置に位置するときに（第１レンズ群Ｌ１が）大きなフード効果を得るためには、レンズ用カム溝２７ｂ１の撮影光軸Ｚ１方向長とバリア用カム溝２７ｂ２の撮影光軸Ｚ１方向長の間に大きな差を設けて、テレ端位置における飾り環２９ｆの前面と第１レンズ群Ｌ１（の前面）の前後間隔をできるだけ大きくすればよい（即ち、ＬＣ＞ＬＡとすればよい）。
しかし本実施形態では、ＬＣ＞ＬＡとせずにＬＡ＝ＬＣとしているので（テレ端位置における飾り環２９ｆの前面と第１レンズ群Ｌ１（の前面）の前後間隔と、収納位置における飾り環２９ｆの前面と第１レンズ群Ｌ１（の前面）の前後間隔を同一にしているので）、テレ端位置における飾り環２９ｆの前面と第１レンズ群Ｌ１（の前面）の前後間隔が極度に大きくなることがない。さらに図５に示すように、収納時係合部Ｐａ１（の一部）と収納時係合部Ｐａ２（の一部）とをカム環２７の周方向に延びる一直線上に位置させ、かつ、テレ端時係合部Ｐｃ１（の一部）とテレ端時係合部Ｐｃ２（の一部）とをカム環２７の周方向に延びる一直線上に位置させている。そのためレンズ用カム溝２７ｂ１の撮影光軸Ｚ１方向長とバリア用カム溝２７ｂ２の撮影光軸ＺＩ方向長の差が殆ど無くなる（小さくなる）ので、カム環２７の表面上の（カム溝が形成されない）無駄なスペースを極めて小さくすることが可能である（カム環２７を有効に使うことができる）。
さらにＬＡ＝ＬＣとしているので、バリア用カム溝２７ｂ２の前端位置がレンズ用カム溝２７ｂ１の前端位置より前方に大きくずれることがない。そのため、カム環２７、及び、収納状態におけるズームレンズ鏡筒１０（及びカメラ全体）の撮影光軸Ｚ１方向寸法を極力小さくすることが可能である。
またＬＡ＞ＬＢなので（ＬＡをある程度大きくしているので）、収納状態において内側バリア羽根２９ｂ及び外側バリア羽根２９ｃが第１レンズ群Ｌ１と干渉するのを確実に防止できる。
【００２９】
以上、上記実施形態を利用して本発明を説明したが、本発明は上記実施形態に限定されるものではない。
例えば、収納時係合部Ｐａ１（の中心点）と収納時係合部Ｐａ２（の中心点）をカム環２７の周方向に延びる一直線上に位置させ（かつ、テレ端時係合部Ｐｃ１（の中心点）とテレ端時係合部Ｐｃ２（の中心点）をカム環２７の周方向に延びる一直線上に位置させ）た上で、ＬＡ＝ＬＣ＞ＬＢとさせてもよい。このようにすれば、カム環２７、及び、収納状態におけるズームレンズ鏡筒１０（及びカメラ全体）の撮影光軸Ｚ１方向寸法をより小さくすることが可能になる。
また、収納時係合部Ｐａ１（の一部）と収納時係合部Ｐａ２（の一部）をカム環２７の周方向に延びる一直線上に位置させずに（かつ、テレ端時係合部Ｐｃ１（の一部）とテレ端時係合部Ｐｃ２（の一部）をカム環２７の周方向に延びる一直線上に位置させずに）、収納時係合部Ｐａ１（の全体）と収納時係合部Ｐａ２（の全体）の一方を他方に比べて前方に位置させてもよい（かつ、テレ端時係合部Ｐｃ１（の全体）とテレ端時係合部Ｐｃ２（の全体）の一方を他方に比べて前方に位置させる）。
さらに、カム環２７の内周面と外周面の一方にレンズ用カム溝２７ｂ１を形成し、他方にバリア用カム溝２７ｂ２を形成してもよい。
【符号の説明】
【００３０】
１０    ズームレンズ鏡筒
１１    赤外線カットフィルタ
１２    ＣＭＯＳセンサ（固体撮像素子）
１３    固定環
１３ａ  雌ヘリコイド
１３ｂ  直進案内溝
１４    撮像素子ホルダ
１７    ＡＦレンズ枠（４群枠）
１８    ＡＦガイド軸
１９    ＡＦモータ
２０    ＡＦナット
２２    ズームギヤ（長尺ピニオン）
２３    ズームモータ
２４    ギヤ列
２５    ヘリコイド環（第１進退筒）
２５ａ  雄ヘリコイド
２５ｂ  周方向案内溝
２５ｃ  回転伝達溝
２６    直進案内環
２６ａ  径方向突起
２６ｂ  案内突起
２６ｃ  カム溝
２７    カム環
２７ａ  フォロア
２７ｂ１  レンズ用カム溝
２７ｂ２  バリア用カム溝
２７ｃ  内面カム溝
２８    １群枠（レンズ支持枠）
２８ａ  カムフォロア（レンズ側カムフォロア）
２９    レンズバリア機構
２９ａ  バリア台枠（バリア支持部材）
２９ｂ  内側バリア羽根
２９ｃ  外側バリア羽根
２９ｄ  トーションばね
２９ｅ  バリア押え板（バリア支持部材）
２９ｆ  飾り環（バリア支持部材）
３０    バリア支持筒（第３進退筒）
３０ａ  カムフォロア（バリア側カムフォロア）
３１    ２群枠
３２    第２進退筒
３３    ３群支持環
３４    シャッタ
３５    ばね受け環状板
３６  ３７  群間ばね（圧縮コイルばね）
３８    軸方向移動絞りリング
４０    防振ベース
４１    軸
４２    ３群枠
Ｌ１    第１レンズ群（前端レンズ）
Ｌ２    第２レンズ群
Ｌ３    第３レンズ群
Ｌ４    第４レンズ群
Ｐａ１  Ｐａ２  収納時係合部
Ｐｂ１  Ｐｂ２  ワイド端時係合部
Ｐｃ１  Ｐｃ２  テレ端時係合部
Ｚ１    撮影光軸
【図１】
0005905290.tif 000002
【図２】
0005905290.tif 000003
【図３】
0005905290.tif 000004
【図４】
0005905290.tif 000005
【図５】
0005905290.tif 000006
【図６】
0005905290.tif 000007
【図７】
0005905290.tif 000008